(57)【要約】  本発明は、固定支持部（３）と、それに対して変位されて、レバーシステム（１２、１３）を介して支持部（３）に取り付けられる衝撃要素（５）とを含む車両シート用ヘッドレスト（１）に関する。本発明によると、レバーシステム（１２、１３）は、少なくとも部分的に連動せず、衝撃要素（５）と支持部（３）との間で異なる動作シーケンスが可能となるように供される。
2007508976.tif 000002
【特許請求の範囲】
【請求項１】
固定支持部（３）と、該固定支持部に対して可動な衝撃要素（５）とを備え、前記衝撃要素（５）はレバーシステム（１２、１３）を介して前記支持部（３）に取り付けられる、車両シート用ヘッドレスト（１）であって、
前記レバーシステム（１２、１３）は少なくとも部分的に連動せず、衝撃要素（５）と支持部（３）との間の異なる動作シーケンスを可能とすることを特徴とするヘッドレスト（１）。
【請求項２】
前記衝撃要素（５）が、少なくとも１つの下部レバー（１３）と１つの上部レバー（１２）を介して前記支持部（３）に取り付けられることを特徴とする請求項１に記載のヘッドレスト。
【請求項３】
前記衝撃要素（５）が、少なくとも１つの下部レバー対（１３）と１つの上部レバー対（１２）を介して前記支持部（３）に取り付けられることを特徴とする請求項１あるいは２に記載のヘッドレスト。
【請求項４】
前記上部レバー（１２）及び下部レバー（１３）が、いずれの場合も四節回転機構を形成することを特徴とする請求項２あるいは３に記載のヘッドレスト。
【請求項５】
前記四節回転機構のヒンジ点（１５）が変位可能に取り付けられることを特徴とする請求項４に記載のヘッドレスト。
【請求項６】
前記ヒンジ点（１５）がボルトとして設計されることを特徴とする請求項５に記載のヘッドレスト。
【請求項７】
前記ボルト（１５）が細長い穴（１１）に取り付けられることを特徴とする請求項６に記載のヘッドレスト。
【請求項８】
前記ボルト（１５）が前記細長い穴（１１）に押し込まれることを特徴とする請求項７に記載のヘッドレスト。
【請求項９】
前記衝撃要素（５）が正常位置から保護位置へ移動されることを特徴とする請求項１〜８のいずれか一項に記載のヘッドレスト。
【請求項１０】
前記正常位置から前記保護位置への移動が、前記四節回転機構を介して起こることを特徴とする請求項９に記載のヘッドレスト。
【請求項１１】
前記衝撃要素（５）が、快適性を得るためにその正常位置が調節されるように設計されることを特徴とする請求項１〜１０のいずれか一項に記載のヘッドレスト。
【請求項１２】
快適性調節が、変位可能に取り付けられた前記四節回転機構のヒンジ点（１５）の変位を介して行われることを特徴とする請求項１１に記載のヘッドレスト。
【請求項１３】
前記快適性調節の間、前記衝撃要素（５）が少なくとも１つのレバーによって前記四節回転機構のヒンジ点（４）の周りで旋回されることを特徴とする請求項１１あるいは１２に記載のヘッドレスト。
【請求項１４】
前記快適性調節の間、前記衝撃要素（５）が前記上部レバー（１２）によって上部ヒンジ点（４）の周りで旋回されるとともに、前記ボルト（１５）が前記細長い穴（１１）の中で変位されることを特徴とする請求項１３に記載のヘッドレスト。
【発明の詳細な説明】
【技術分野】
【０００１】
本発明は、請求項１の前段に従って、固定支持部と、固定支持部に対して可動な衝撃要素とを有する車両シート用ヘッドレストに関する。
【背景技術】
【０００２】
一般的なタイプのヘッドレストが、特許文献１から知られている。公知のヘッドレストは、固定支持部と、固定支持部に対して可動な衝撃要素とによって特徴づけられる。支持部及び衝撃要素は、四節回転機構を形成する上部及び下部レバーを介して互いに接続される。固定支持部に対する衝撃要素の動きは、レバーの旋回によって、従って四節回転機構が作動することによって起こる。公知のヘッドレストの場合、固定支持部に対する衝撃要素の旋回は、２つの異なる状況において起こる。第１に、衝撃要素を前方に引っ張ることによって、快適性を得るために頭とヘッドレストとの間を所望の距離に設定できる。このために、四節回転機構をロックし、このロックによって衝撃要素が設定されると、その位置に衝撃要素を保つロック装置が提供される。第２に、衝撃要素の動きは、衝突によって誘発されたときに起こる。この動作は、前述の四節回転機構を介しても起こる。快適性のための調節は手動で行われるのに対し、衝突時の調節は駆動機構の助けによって行われる。
【０００３】
【特許文献１】独国特許出願公開第１０２  ０２  ５９８Ａ１号明細書
【発明の開示】
【発明が解決しようとする課題】
【０００４】
本発明は、固定支持部と、固定支持部に対して可動な衝撃要素とを有する車両シート用ヘッドレストであって、ヘッドレストがより簡単に、従ってよりコスト効率的な方法で製造されるヘッドレストを提供するという目的に基づく。
【課題を解決するための手段】
【０００５】
この目的は、請求項１の特徴によって達成される。
【０００６】
従って、本発明による解決方法は、衝撃要素と支持部との間に備えられているレバーシステムが、少なくとも部分的に連動しないことによって特徴づけられる。先行技術との比較において、この特徴により、支持部と衝撃要素との間に異なる動作シーケンスを実行することが可能となる。このことは、固定支持部に対する衝撃要素の動作が起こる理由毎に応じて、異なる動作シーケンスを実現できるという利点をもたらす。作動理由毎に応じた動作シーケンスが独立していることによって、各動作シーケンスを別々に設定することが可能となり、従って各作動状況に理想的な動作シーケンスを提供することが可能となる。これに加えて、２つの異なるロックシステムを省略することができる。
【０００７】
実施形態によれば、衝撃要素は、少なくとも１つの下部レバーと１つの上部レバーを介して支持部に取り付けられる。２つのレバーを介した接続は、事故の時に衝撃要素に作用する力を吸収するために、十分にしっかりと設計される単純なレバーシステムを構成する。
【０００８】
低部及び上部にそれぞれレバー対を備え、その結果、可動衝撃要素の取り付けがより安定することが考えられる。レバー対の使用は、従って固定支持構成部品への衝撃要素のしっかりした、従って確実な取り付けを支持する。上部及び下部レバーは、固定支持部と可動衝撃要素の両方に、いずれの場合も旋回可能に取り付けられるので、いずれの場合も四節回転機構を形成する。
【０００９】
実施形態によれば、四節回転機構のヒンジ点は変位可能に取り付けられる。四節回転機構のヒンジ点を変位可能に取り付けると、四節回転機構を分離することが可能となり、従って同じレバー配置によって異なる動作シーケンスを実現することが可能となる。変位可能に取り付けられた四節回転機構のヒンジ点がロックされると、動作シーケンスは四節回転機構におけるレバーの旋回を特徴とするので、固定支持部に対する衝撃要素の動作は、旋回動作と並進動作の組み合わせによって特徴づけられる。いずれの場合もレバーの配置に応じ、それによって衝撃要素は前方、すなわち、自動車乗員の頭の方向に変位され、下方又は上方にも変位される。変位可能に取り付けられた四節回転機構のヒンジ点のロックが解かれると、それとは異なる動作シーケンスが生じ、それは、ヒンジ点の周りで衝撃板とともに少なくとも１つのレバーが旋回することによって特徴づけられる。このタイプの動作によって、自動車乗員の頭に対する衝撃要素の距離と、衝撃要素の傾斜の両方を設定することが可能となる。
【００１０】
変位可能に取り付けられたヒンジ点を、細長い穴に取り付けられるボルトとして設計できる。取り付けの際にヒンジ点をロックする可能性を実現するために、ボルトは細長い穴に押し込まれる。その結果、細長い穴はボルトに対する規定の摩擦値を上げる。細長い穴の中でヒンジ点を調節するためには、まず最小限の力を越えなければならない。この配置によって、簡単で、材料を節減できる方法で製造できるという利点がもたらされる。取り付けにおいてヒンジ点のロックが簡単に可能となる。
【００１１】
異なる状況において衝撃要素を動かすために、異なる動作シーケンスを実現できる。例えば、衝撃要素は、正常位置から保護位置へ移動される。本発明の文脈内では、保護位置は、事故の際に自動車乗員を負傷しないように保護するために衝撃要素がとる位置のことを意味する。保護位置は、ここでは、保護位置によって事故の際に自動車乗員の頭が後ろに揺れないようして、負傷しないようにすることであると定義される。
【００１２】
正常位置から保護位置への移動は、四節回転機構を介して起こり得る。四節回転機構を介する旋回によって、固定支持部に対する衝撃要素の、確実で、特に前もって定められる変位が可能であるという利点がもたらされる。
【００１３】
別の実施形態によれば、衝撃要素は、快適性を得るためにその正常位置に調節される。この場合、調節は分離された四節回転機構を介して起こり得る。例えば、快適性調節は、変位可能に取り付けられた四節回転機構のヒンジ点の変位を介して起こり得る。この場合、請求項５と併せて記述された動作シーケンスが生じる。
【００１４】
別の有利な改良は、従属請求項からさらに得られる。
【００１５】
本発明は、図に示される、例示された実施形態を参照して下記に示される。
【発明を実施するための最良の形態】
【００１６】
図１はヘッドレスト１を示す。ヘッドレスト１は、ヘッドレストロッド２を介してシートに留められる（図示せず）。ヘッドレスト１は、ヘッドレストロッド２に接続される支持部３を有する。支持部３は軸受点４を有する。さらに、衝撃要素５が設けられている。
【００１７】
衝撃要素５は、支持体６と、接続ウェブ７を介して支持体６に接続されるクッション８とを含む。支持体６には、ヒンジ点のための軸受け９、１１が同様に設けられている。衝撃要素５は、上部レバー１２と下部レバー１３を介して支持部３に接続されている。レバー１２は、支持部３の上部軸受け４から衝撃要素５の上部軸受け９まで延びる。レバー１３は、支持部３の下部軸受け４から衝撃要素５の下部軸受け１１まで延びる。軸受けは、例えば、ボルトからなる回転継手を収容する。
【００１８】
１つの上部レバー１２と１つの下部レバー１３のみをいずれの場合も図に示してある。しかしながら、上部及び低部にそれぞれレバー対が設けられることも考えられる。図示されるレバー１２及び１３のみを以下で説明する。
【００１９】
衝撃要素５の下部軸受け１１は、細長い穴の形状をしていることに特徴づけられる。この細長い穴には、下部レバー１３の下部接合部を形成するボルト１５を取り付ける。この細長い穴によって、軸受け１１のボルト１５を、すなわち衝撃要素５に対して変位させることが可能である。軸受け４及び９の残りのヒンジ点は定位置として設計される。ヒンジ点を形成するボルトは、変位可能には取り付けられない。
【００２０】
以下に、本発明によるヘッドレストの機能をより詳細に説明する。
【００２１】
固定支持部３と可動衝撃要素５を接続するレバーシステム１２、１３が本発明により連動しないおかげで、可動衝撃要素５は異なる動作シーケンスを実施できる。１つの動作シーケンスは、自動車乗員が快適性を得るためにヘッドレストを調節する場合に実施される。他の動作シーケンスは、事故の際に、ヘッドレスト１がその正常位置から保護位置へ移動される場合に実施される。
【００２２】
快適性のための調節については、はじめに以下に説明する。自動車乗員が快適性を得るために衝撃要素５を調節したい場合、乗員は図１の矢印Ａの方向に力を加えることで調節できる。このように力が加えられると、上部レバー１２によって固定支持部３の上部ヒンジ点４の周りで衝撃要素５が回転される。このタイプの回転運動の最大調節距離は、細長い穴１１の長さによって予め定められる。例示された実施形態においては、最大調節角度は図に示される角度αに一致する。快適性調節は、上部レバー１２の回転軸４の周りでの旋回から生じる傾斜調節である。このために、細長い穴１１は湾曲した設計であり、その半径は上部の回転軸４からの距離に一致する。ボルト１５は、好ましくは細長い穴１１に押し込まれ、その結果、細長い穴１１の中で、ボルト１５の動作に対して規定の摩擦値を上げるため、前記摩擦値によって任意の位置に衝撃要素５をロックすることができ、従って衝撃要素５を無限に可変に設定することができる。もちろん、下部レバー１３に対する衝撃要素５のロックの、他の任意の形態も考えられる。細長い穴１１は輪郭を付けた設計であってもよく、又はその壁は凹凸を付けた設計でもよいので、段階的な調節やラッチ調節が可能となる。快適性のための調節は、駆動機構、例えば電気モータの助けによって行われてもよい。
【００２３】
先行技術から知られるように、衝突の際には、ヒンジ点４の周りでレバー１２、１３が同時に旋回することによって衝撃要素５の変位が起こる。この場合、衝撃要素５は前方か上方に旋回する。旋回は、衝撃要素５のために設定された傾斜とは無関係に起こり得る。このような使用状況のために、一般的なロックは設けられる。使用される駆動機構は、例えば、プレストレスされたバネでもよい。
【図面の簡単な説明】
【００２４】
【図１】本発明によるヘッドレストの正常位置における断面図を示す。
【図２】図１による、快適性のために調節された正常位置における断面図を示す。
【図１】
2007508976.tif 000003
【図２】
2007508976.tif 000004
【国際調査報告】
2007508976.tif 000005
2007508976.tif 000006
2007508976.tif 000007
2007508976.tif 000008